(57)【要約】【課題】庫内に温風を効率良く加熱しながら抵抗なく循環供給できる貯蔵室を得る。【解決手段】温蔵庫本体１には、庫内の貯蔵室７に温風を循環供給する通風ダクトを備えている。この通風ダクトは、温蔵庫本体１の左右側壁５・５に沿う側面ダクト１１・１１と、温蔵庫本体１の上壁２に沿う天井ダクト１２とからなる。天井ダクト１２は中空箱状の仕切りボックス１６で貯蔵室７と区画されている。仕切りボックス１６の前後端部に吸込口２２が設けられており、この吸込口２２を介して貯蔵室空気が仕切りボックス１６内に吸引される。仕切ボックス１１の上面板１７の中央一箇所に連通口２５が設けられている。天井ダクト１２の連通口２５上に、縦軸まわりに回転駆動されるシロッコファン２６を配し、シロッコファン２６の外周囲にシーズヒータ２９を配してある。仕切りボックス１６内に吸引した貯蔵室空気は、連通口２５に集められて天井ダクト１２に流れ、シーズヒータ２９で加熱されて温風となる。その温風は側面ダクト１１・１１から貯蔵室７に吹き出る。【選択図】図２
2005270380.tif 000002
【特許請求の範囲】
【請求項１】
上下壁２・３、左右側壁５・５および後側壁６が断熱構造になっていて、前面が開口する温蔵庫本体１と、
温蔵庫本体１に付設されて温蔵庫本体１の開口前面を開閉するドア９と、
温蔵庫本体１の庫内に設定された貯蔵室７と、
貯蔵室７に出し入れ自在であって貯蔵室７に上下多段に収納配置される多数のトレー１０と、
温蔵庫本体１内に配置されて貯蔵室７に温風を循環供給する通風ダクトとを含む温蔵庫において、
前記通風ダクトが、
温蔵庫本体１の左右側壁５・５と、この左右側壁５・５に沿って設けられて貯蔵室７に臨む内側壁１３・１３との間に形成された側面ダクト１１・１１と、
各側面ダクト１１の内側壁１３に設けられた多数の温風吹出孔１５と、
温蔵庫本体１の上壁２と、この上壁２に沿って設けられて貯蔵室７の上部に臨む中空箱状の仕切りボックス１６との間に形成され、左右端が側面ダクト１１・１１の上端に連通接続された天井ダクト１２と、
仕切りボックス１６内に貯蔵室７の空気を吸い込むために、仕切りボックス１６の前後端部に設けた吸込口２２と、
仕切ボックス１６の内部空間と天井ダクト１２とを連通させるために、仕切ボックス１１の上面板１７の中央に設けた連通口２５と、
仕切りボックス１６内の貯蔵室空気を連通口２５を介して天井ダクト１２に導入するために、天井ダクト１２の中央において連通口２５上に配設されて縦軸まわりに回転駆動されるシロッコファン２６と、
天井ダクト１２に導入の貯蔵室空気を温めるために、シロッコファン２６の外周囲に配されたヒータ２９とを備えていることを特徴とする温蔵庫。
【請求項２】
前記ヒータ２９が、シロッコファン２６の外周に上下複数段に配された円環状のシーズヒータである請求項１記載の温蔵庫。
【発明の詳細な説明】
【技術分野】
【０００１】
本発明は、トレー上の調理済み料理などを保温したり、再加熱したりするための温蔵庫に関する。
【背景技術】
【０００２】
本発明の温蔵庫は、上下壁２・３、左右側壁５・５および後側壁６が断熱構造になっていて、前面が開口する温蔵庫本体１と、温蔵庫本体１に付設されて温蔵庫本体１の開口前面を開閉するドア９と、温蔵庫本体１の庫内に設定された貯蔵室７と、貯蔵室７に出し入れ自在であって貯蔵室７に上下多段に収納配置される多数のトレー１０と、温蔵庫本体１内に配置されて貯蔵室７に温風を循環供給する通風ダクトとを含む。
【０００３】
かかる基本構造の温蔵庫は、特許文献１および特許文献２に公知である。
【特許文献１】特開平８−１１７１１４号公報（段落００１３、図３）
【特許文献１】特開２００１−２９９４６６号公報（段落００１３、図１）
【発明の開示】
【発明が解決しようとする課題】
【０００４】
特許文献１の温蔵庫は、庫内の貯蔵室の左右に側面ダクトを配し、上部にシロッコファンおよびヒータを内蔵する上部ダクトを設け、基本的に貯蔵室空気を左右の一方の側面ダクトから吸い込んで上部ダクトに導き、ここで加熱した温風を左右の他方の側面ダクトから貯蔵室に吹き出している。そこでは、上部ダクトが貯蔵室の天井に沿って配設されておらず、シロッコファンによる貯蔵室空気の吸引抵抗および温風の吹き出し抵抗（圧力損失）が大きく、ヒータによる貯蔵室空気の均一加熱の点でも、なお改善の余地が認められる。
【０００５】
特許文献２には、通風ダクトにおけるファンおよびヒータまわりの構造が具体的に開示されていない。
【０００６】
そこで本発明の目的は、先の温蔵庫の通風ダクトにおいて、貯蔵室空気を加熱して循環させるためのシロッコファンおよびヒータを合理的に配置し、貯蔵室これ全体に温風をムラなく均一に抵抗少なく循環させることにある。
【課題を解決するための手段】
【０００７】
そのために採用された本発明の前記通風ダクトは、温蔵庫本体１の左右側壁５・５と、この左右側壁５・５に沿って設けられて貯蔵室７に臨む内側壁１３・１３との間に形成された側面ダクト１１・１１と、各側面ダクト１１の内側壁１３に設けられた多数の温風吹出孔１５と、温蔵庫本体１の上壁２と、この上壁２に沿って設けられて貯蔵室７の上部に臨む中空箱状の仕切りボックス１６との間に形成され、左右端が側面ダクト１１・１１の上端に連通接続された天井ダクト１２と、仕切りボックス１６内に貯蔵室７の空気を吸い込むために、仕切りボックス１６の前後端部に設けた吸込口２２と、仕切ボックス１６の内部空間と天井ダクト１２とを連通させるために、仕切ボックス１１の上面板１７の中央に設けた連通口２５と、仕切りボックス１６内の貯蔵室空気を連通口２５を介して天井ダクト１２に導入するために、天井ダクト１２の中央において連通口２５上に配設されて縦軸まわりに回転駆動されるシロッコファン２６と、天井ダクト１２に導入の貯蔵室空気を温めるために、シロッコファン２６の外周囲に配されたヒータ２９とを備えていることを特徴とする。
【０００８】
前記ヒータ２９としては、シロッコファン２６の外周に上下複数段に配された円環状のシーズヒータを用いることが望まれる。
【発明の効果】
【０００９】
かかる本発明の温蔵庫によれば、貯蔵室７の空気は、天井側へ前後に展開しながら上昇し、仕切りボックス１６内にこれの前後端部に設けた吸込口２２を介して吸引される。次いで、仕切りボックス１６内の貯蔵室空気は、シロッコファン２６で連通口２５を介して天井ダクト１２に導入され、ヒータ２９で加熱されて温風となる。その温風は、左右の側面ダクト１１・１１に送り込まれて貯蔵室７にこれの左右側方から吹き出る。
【００１０】
しかるに、貯蔵室７に多数のトレー１０が上下間を仕切る状態で収納配置されていても、貯蔵室７において温風が、上下に隣接する各トレー１０・１０間に左右方向から流れ込んで前後方向に分流したのち上昇する。したがって、各トレー１０上の調理済み料理を全面にわたってムラなく均一に加熱できる。
【００１１】
天井ダクト１２に配したシロッコファン２６は、縦軸まわりに回転して、貯蔵室空気をいったん仕切りボックス１６の連通口２５に一括集中させたのち上方の天井ダクト１２に効率良く引き込む。したがって天井ダクト１２に貯蔵室空気を抵抗なく放射状に吹き出して、各側面ダクト１１に前後間にわたって均一に温風を送り込める。
【００１２】
その際、ヒータ２９はシロッコファン２６の外周囲に配してあるので、天井ダクト１２においてシロッコファン２６からの貯蔵室空気を該ヒータ２９で均一に加熱することができる。
【００１３】
シロッコファン２６の外周に円環状のシーズヒータ２９が上下複数段に配されていると、シロッコファン２６から吹き出る貯蔵室空気の流れに乱れを生じることがなく、圧力損失を防ぐに一層有利となる。
【実施例】
【００１４】
図１において符号１は角箱状の温蔵庫本体である。温蔵庫本体１は、いずれも断熱壁構造の上下壁２・３、左右側壁５・５および後側壁６を有し、前面が庫内の温蔵庫７への出入り口として開口している。温蔵庫本体１には、これの開口前面を開閉するドア９を備えている。
【００１５】
図２において貯蔵室７には、調理済み料理を載せた多数のトレー１０が出し入れ自在に図外のトレー受け手段で上下多段に収納配置される。
【００１６】
温蔵庫本体１には、貯蔵室７に温風を循環供給するための通風ダクトを備えている。その通風ダクトは、貯蔵室７の左右に配した側面ダクト１１・１１と、貯蔵室７の天井側に配した天井ダクト１２とからなる。
【００１７】
各側面ダクト１１は、温蔵庫本体１の左右の各側壁５と、この各側壁５の内側方に各側壁５の上下間およびほぼ前後間に沿って設けられた内側壁１３とで区画形成されており、内側壁１３が貯蔵室７に臨んでいる。すなわち内側壁１３・１３が、貯蔵室７の左右の側面壁になっている。
【００１８】
各側面ダクト１１の内側壁１３には、これの全面にわたって多数の温風吹出孔１５が貫通状に設けられている。この温風吹出孔１５は、貯蔵室７に上下間および前後間にわたってほぼ均一な量で温風が吹き出るように配慮されるべきであるが、そのためには各内側壁１３に必ずしも同一形状の温風吹出孔１５が同一間隔で全面にわたって形成されることを要しない。
【００１９】
天井ダクト１２は、温蔵庫本体１の上壁２と、この上壁２の内側下方に沿って設けられて貯蔵室７の上部に臨む中空角箱状の仕切りボックス１６との間に形成されている。仕切りボックス１６は、平坦な上下面板１７・１９と、垂直状の前後面板２０・２０と、下り傾斜状の左右側面板２１・２１とを有する扁平な角箱状を呈しており、下面板１９が貯蔵室７の天井面になる。
【００２０】
仕切りボックス１６の前後面板２０・２０には、多数の吸込口２２が全面にわたって点在状に形成されている。尤も、この吸込口２２は、左右横方向または上下縦方向に走るスリットであってもよい。
【００２１】
左右の各側面ダクト１１の前後面は端板２３で塞がれて貯蔵室７と仕切られている。各側面ダクト１１の前後の端板２３・２３は、温蔵庫本体１の左右側壁５の前後端よりもそれぞれ内側に位置する。したがって、貯蔵室７には、各側面ダクト１１の前後にそれぞれ上下方向にわたって通風隙間Ｇ・Ｇが設けられている。
【００２２】
各側面ダクト１１の前後の端板２３・２３と仕切りボックス１６の前後面板２０・２０とは、それぞれ温蔵庫本体１の上壁２の内面に達するよう上方に向けて延長形成されて、面一状に突き合わせ接合されており、これで天井ダクト１２の前後面が貯蔵室７と区画され、天井ダクト１２の左右端のみが前後方向にわたって各側面板１１・１１の上端に連通状に接続されている。かくして、仕切りボックス１６の前後の外側には、前記通風隙間Ｇがそれぞれ延長形成されている点が、留意されるべきである。
【００２３】
仕切りボックス１６の上面板１７の中央一箇所には、大きい円形の連通口２５が内外貫通状に設けられている。
【００２４】
天井ダクト１２の中央には、前記連通口２５の中心線上に、縦軸まわりに回転する１台のシロッコファン２６が配設されている。このシロッコファン２６は、温蔵庫本体１の上壁２の外側上面に置いた図外のモータで回転駆動することができる。図中、符号２７は前記モータなどを含む室外ボックスである。
【００２５】
天井ダクト１２には、シロッコファン２６の円形外周囲に間隔を置いて円環状のシーズヒータ２９が上下に一定の隙間を設けて３本同心状に取り付けられている。
【００２６】
次に通風ダクトの作用を説明すると、天井ダクト１２からの温風は、図２に示すごとく、左右の側面ダクト１１・１１に押し込まれ、内側壁１３・１３の温風吹出孔１５群を介して貯蔵室７にこれの左右側方からほぼ全面的に吹き出る。したがって、貯蔵室７において、上下に隣接する各トレー１０・１０間に温風が吹き込まれる。
【００２７】
貯蔵室７において、トレー１０・１０間に吹き出た温風は、前後方向に流れ、通風隙間Ｇなどを利用して上昇し、そのままシロッコファン２６の吸引力を受けて、いったん仕切りボックス１６の内部に、前後の吸込口２２から吸引される。次に、仕切りボックス１６内の貯蔵室空気は、シロッコファン２６で連通口２５に一括して集められたのち天井ダクト１２に導入される。一箇所に集められた貯蔵室空気は、シロッコファン２６の外周から天井ダクト１２に放出されるとき、シーズヒータ２９に接触して、均一に加熱され温風となる。かくして、その温風が左右に分配されて側面ダクト１１・１１に流入する。
【００２８】
図５は本発明の別実施例を示しており、前述の通風隙間Ｇを実質的に省略して仕切りボックス１６の下面板１９の前後端部にのみ吸込口２２を左右間にわたって点在状に設けた。これによっても、貯蔵室７にはトレー１０の前後に十分な隙間が存在するので、上下に隣接するトレー１０・１０間の貯蔵室空気は前後に分かれて流れる。
【００２９】
本発明においては、仕切りボックス１６の少なくとも前後端部に貯蔵室空気の大半を吸引するための吸込口２２が設けられておれば足り、例えば仕切りボックス１６の中央近くに吸込口２２を設けて、該当の中央近くからも貯蔵室空気の一部を仕切りボックス１６内に引き込めるようにしてもよい。
【産業上の利用可能性】
【００３０】
本発明は、温蔵庫本体１がキャスタなどで移動自在とした配膳庫にも利用できる。
【図面の簡単な説明】
【００３１】
【図１】正面から見たドアを開けた状態での温蔵庫の概略斜視図
【図２】温蔵庫の縦断正面図
【図３】温蔵庫の縦断側面図
【図４】天井ダクトでの貯蔵室空気の流れを概念的に説明する斜視図
【図５】天井ダクトの別実施例を示す要部の縦断側面図
【符号の説明】
【００３２】
１  温蔵庫本体
２  温蔵庫本体の上壁
３  温蔵庫本体の下壁
５  温蔵庫本体の左右側壁
６  温蔵庫本体の後側壁
７  貯蔵室
９  ドア
１０  トレー
１１  側面ダクト
１２  天井ダクト
１３  側面ダクトの内側壁
１５  温風吹出孔
１６  仕切りボックス
１７  仕切りボックスの上面板
１９  仕切りボックスの下面板
２０  仕切りボックスの前後面板
２２  吸込口
２５  連通口
２６  シロッコファン
２９  シーズヒーター
Ｇ  通風隙間
【図１】
2005270380.tif 000003
【図２】
2005270380.tif 000004
【図３】
2005270380.tif 000005
【図４】
2005270380.tif 000006
【図５】
2005270380.tif 000007